(57)【特許請求の範囲】
【請求項１】
企業又は個人である利用者のクライアント端末と、
それら利用者のクライアント端末からのＥＢ（エレクトロニック・バンキング）ソフト利用依頼に応答しインターネットを介してＥＢソフトを提供する業務ソフトサービス運用事業者のデータセンタと、
そのデータセンタから公衆通信回線或は専用通信回線を介して交信する前記ＥＢソフトによる銀行業務依頼に応答し利用者の契約した銀行口座の預金入出金データの送信或はその口座への振込データの受信をする金融機関のホストコンピュータとから構成され、
前記データセンタは、前記業務ソフトのサービスを受けたい利用者を登録するための利用会員データベースと、前記ＥＢソフトにより前記ホストコンピュータから受信した銀行口座預金入出金データ或はそのホストコンピュータへ送信すべき振込データが保存される利用者毎のＥＢ用データベースとを少なくとも備え、
前記データセンタは、前記クライアント端末からのアクセスに応答し、利用申込画面を送信し、利用業務ソフト、利用者又は企業所属を示すＩＤコード、パスワードを利用者に入力させて受信し、前記利用会員データベースの内容と比較して利用者認証をする利用申込画面送信／認証手段と、
前記データセンタと金融機関のコンピュータシステムとの間の通信回線を接続するための通信環境設定手段、接続先金融機関のホストコンピュータに対する情報設定を行う情報設定手段、金融機関の複数の利用サービス項目を選択する利用サービス項目選択設定手段、及び複数の利用サービスに共通に使用できる口座情報を設定する口座情報設定手段の４設定手段からなる導入処理手段と、
それらの設定を順次選択して対話式にデータを入力処理できる導入処理画面を前記クライアント端末へ送信する導入処理画面送信手段とを有し、
前記データセンタのＥＢソフトを実行する手段は、前記認証手段により利用者を認証した場合、前記導入処理画面送信手段により利用者が対話式にデータを入力処理できる導入処理画面を前記クライアント端末へ送信し、利用者が対話式に入力した設定データを受付け、利用者から受付けた設定データを基に、前記通信環境設定手段により前記データセンタと利用者が口座契約した金融機関のコンピュータシステムとの間の通信回線を接続し、前記情報設定手段により設定された接続先金融機関のホストコンピュータに対する情報設定を行い、前記利用サービス項目選択設定手段により選択されたその金融機関の複数の利用サービス項目を選択し、前記口座情報設定手段により設定されたそれら複数の利用サービスに共通に使用できる口座情報を設定することを特徴とするインターネットを介する導入ウィザード機能付ＥＢシステム。
【請求項２】
前記データセンタのＥＢソフトは、前記クライアント端末のＥＢソフト導入処理画面での終了信号を受信した際、前記銀行利用サービス設定の１以上の項目が、振込・引落・納付データである場合には実際のホストコンピュータへの送信前にそれぞれテスト用の振込・引落・納付データを自動生成し、前記金融機関毎のホストコンピュータと利用サービス項目毎に連続して通信テストを行う通信テスト手段を有することを特徴とする請求項１記載のインターネットを介する導入ウィザード機能付ＥＢシステム。
【発明の詳細な説明】
【０００１】
【発明の属する技術分野】
本発明は、企業又は個人の利用者端末と、その端末からの業務ソフト利用依頼に応答してインターネットを介して提供する業務ソフトサービス運用事業者のデータセンタと、そのデータセンタから通信回線を介してアクセスするＥＢ（エレクトロニック・バンキング）ソフトに関し、詳しくは金融機関への通信環境設定などの導入ウィザード設定の対話式処理に関する。
【０００２】
【従来の技術】
従来の企業などにおける仕入や給与計算の管理のための業務ソフトは、仕入先の支払伝票を処理し、その仕入振込先のデータファイルを作成するだけであり、また社員の給与計算を行いその社員への振込先のデータファイルを作成するだけであり、いずれも振込先への送金は別途銀行口座を契約した金融機関へ依頼したり或はＥＢソフトにより通信回線を介してその金融機関のホストコンピュータへ振込データを送信していた。
【０００３】
また、販売や財務等の管理業務ソフトはそれぞれの処理に際して最新の預金明細書或は預金入金データ等が必要となるときには、そのデータを別途金融機関の銀行口座から受取り或はＥＢソフトにより通信回線を介して、その金融機関のホストコンピュータからデータを受信し、そのデータを取得して業務ソフトの入力処理を行っていた。
【０００４】
一方、最近前述の各種業務ソフトを備え、企業又は個人の利用者端末からの業務ソフト利用依頼に応答して、インターネットを介して提供する業務ソフトサービス運用事業者、すなわちＡＳＰ（アプリケーション・サービス・プロバイダ）の事業形態が広がり始めた。このＡＳＰ利用によれば利用企業側はアプリケーションの運用・管理・保守・設備に経費・人件費を低くできる利点がある。
【０００５】
しかしながら、前記ＥＢソフトを利用するためには金融機関のホストコンピュータとの接続条件などの初期設定作業をおこなわねばならない。従来この初期設定は、通信テストを含めて銀行のサービス担当者に依頼しなければ困難であった。
【０００６】
銀行のサービス担当が企業に出向き、企業の端末機を操作して初期設定処理をサービスで行っていたが、手間のかかる業務となっていた。ＡＳＰ事業形態では企業の利用者が行わねばならないが、通信環境設定、接続先設定、銀行口座設定などの複雑で誤りやすい操作をしなければならない問題があった。
【０００７】
【発明が解決しようとする課題】
本発明は前述した点に鑑みてなされたものであり、その目的とするところは、インターネット上の業務ソフトサービス運用事業者（ＡＳＰ）で利用可能なＥＢシステムであって、その利用に際し初期設定が利用者の端末機から容易に行うことができる導入ウィザード機能を提供することを目的とする。
【０００８】
【課題を解決するための手段】
前記課題を解決するため、本発明のインターネットを介する導入ウィザード機能付ＥＢシステムは、企業又は個人である利用者のクライアント端末と、
それら利用者のクライアント端末からのＥＢ（エレクトロニック・バンキング）ソフト利用依頼に応答しインターネットを介してＥＢソフトを提供する業務ソフトサービス運用事業者のデータセンタと、
そのデータセンタから公衆通信回線或は専用通信回線を介して交信する前記ＥＢソフトによる銀行業務依頼に応答し利用者の契約した銀行口座の預金入出金データの送信或はその口座への振込データの受信をする金融機関のホストコンピュータとから構成され、
前記データセンタは、前記業務ソフトのサービスを受けたい利用者を登録するための利用会員データベースと、前記ＥＢソフトにより前記ホストコンピュータから受信した銀行口座預金入出金データ或はそのホストコンピュータへ送信すべき振込データが保存される利用者毎のＥＢ用データベースとを少なくとも備え、
前記データセンタは、前記クライアント端末からのアクセスに応答し、利用申込画面を送信し、利用業務ソフト、利用者又は企業所属を示すＩＤコード、パスワードを利用者に入力させて受信し、前記利用会員データベースの内容と比較して利用者認証をする利用申込画面送信／認証手段と、
前記データセンタと金融機関のコンピュータシステムとの間の通信回線を接続するための通信環境設定手段、接続先金融機関のホストコンピュータに対する情報設定を行う情報設定手段、金融機関の複数の利用サービス項目を選択する利用サービス項目選択設定手段、及び複数の利用サービスに共通に使用できる口座情報を設定する口座情報設定手段の４設定手段からなる導入処理手段と、
それらの設定を順次選択して対話式にデータを入力処理できる導入処理画面を前記クライアント端末へ送信する導入処理画面送信手段とを有し、
前記データセンタのＥＢソフトを実行する手段は、前記認証手段により利用者を認証した場合、前記導入処理画面送信手段により利用者が対話式にデータを入力処理できる導入処理画面を前記クライアント端末へ送信し、利用者が対話式に入力した設定データを受付け、利用者から受付けた設定データを基に、前記通信環境設定手段により前記データセンタと利用者が口座契約した金融機関のコンピュータシステムとの間の通信回線を接続し、前記情報設定手段により設定された接続先金融機関のホストコンピュータに対する情報設定を行い、前記利用サービス項目選択設定手段により選択されたその金融機関の複数の利用サービス項目を選択し、前記口座情報設定手段により設定されたそれら複数の利用サービスに共通に使用できる口座情報を設定することを特徴とする。
【０００９】
また、前記データセンタのＥＢソフトは、前記クライアント端末のＥＢソフト導入処理画面での終了信号を受信した際、前記銀行利用サービス設定の１以上の項目が、振込・引落・納付データである場合には実際のホストコンピュータへの送信前にそれぞれテスト用の振込・引落・納付データを自動生成し、前記金融機関毎のホストコンピュータと利用サービス項目毎に連続して通信テストを行う通信テスト手段を有することを特徴とする。
【００１０】
【発明の実施の形態】
以下、本発明の実施の形態を図に基づき説明する。図１は本発明のインターネットを介する導入ウィザード付ＥＢシステム１の構成図を示す。
【００１１】
すなわち、インターネットを介する導入ウィザード付ＥＢシステム１は、企業又は個人利用者のクライアント端末６０と、それら利用者端末６０からの業務ソフト利用依頼に応答してインターネット５０を介して予め用意している各種業務ソフトを提供する業務ソフトサービス運用事業者のデータセンタ１０と、そのデータセンタ１０から公衆通信回線或は専用通信回線２０を介して交信するＥＢ（エレクトロニック・バンキング）ソフトによる銀行業務依頼に応答して、利用者の契約した銀行口座の預金入出金データのデータセンタ１０への送信或はその口座への振込データのデータセンタ１０からの受信をする金融機関のホストコンピュータ３０とから構成される。
【００１２】
ここで、データセンタ１０は、利用者に対して業務ソフトをレンタルサービス運用業務を制御処理するアプリケーションサーバ１１と、ファイアウォールを含むＷｅｂサーバ１２と、前記運用業務の制御処理に必要とするデータベース１４を管理するデータベースサーバ１３と、モデム部を含む通信回線接続回路部１５と、業務処理端末１６とから少なくとも構成される。
【００１３】
次に、データベース１４は以下に示すデータベース１４ａ，１４ｂ，１４ｃから少なくともなる。
【００１４】
１４ａは、企業又は個人が予め業務ソフトサービス運用事業者と各種業務ソフトのレンタルサービスを契約した、その企業の所属を示す、或は個人のＩＤコードとパスワードと共に登録した利用会員データベース１４ａである。
【００１５】
１４ｂは、導入ウィザード付ＥＢソフト１１ａによりホストコンピュータ３０から受信した利用者銀行口座の預金入出金データを保存し或はホストコンピュータ３０へ送信すべき振込データ等が保存されている利用者毎のＥＢ用データベース１４ｂである。
【００１６】
１４ｃは、業務ソフトによる処理結果或は経過データと、利用履歴を保存した利用者毎、利用業務ソフト毎の処理経過／利用履歴データベース１４ｃである。利用履歴は利用料金課金に使用される。
【００１７】
そのデータセンタ１０は、予めアプリケーションサーバ１１にインターネット回線５０を介してレンタルサービスするための販売・仕入管理業務ソフト１１ｘ、給与計算業務ソフト１１ｙ、財務会計・税務管理業務ソフト１１ｚなどを含む各種業務ソフトを備えておく。
【００１８】
データセンタ１０は、利用者端末６０からインターネット回線５０を介しての業務ソフト利用依頼に応答し、利用申込画面を送信し利用業務ソフト、利用者又は企業所属を示すＩＤコードとを入力させて受信し、利用会員データベース１４ａにより利用者を認証する利用申込画面送信／認証手段１１ｅを備える。
【００１９】
また、利用者を認証すれば、申込画面で指定した業務ソフトを起動し、そのメニュー選択画面を利用者端末６０へインターネット回線５０を介して送信する業務ソフトメニュー画面送信手段１１ｆを備える。
【００２０】
さらに、データセンタ１０と利用者が口座契約している各金融機関のホストコンピュータ３０とを通信回線２０を介して接続し、データセンタ１０とホストコンピュータ３０間で利用者の業務ソフトにより生成した振込などのデータの送信或は業務ソフトに必要な口座預金入出金などの受信銀行業務処理をする導入ウィザード付ＥＢソフト１１ａは以下の手段１１ｂ，１１ｃ，１１ｄを少なくとも備える。
【００２１】
手段１１ｂは、利用者端末６０の業務ソフトメニュー画面で導入ウィザードを選択すれば、データセンタ１０はその選択信号を受信して導入ウィザード付ＥＢソフトを起動し、そこで利用者の口座のある金融機関のホストコンピュータ３０とデータセンタ１０間の通信回線２０を接続可能状態とする通信環境設定と、接続先金融機関のホストコンピュータの情報設定と、その金融機関の少なくとも１以上の利用サービス項目選択設定と、銀行利用サービスに使用する口座情報設定の４設定を順次選択してそれぞれ対話式にデータを入力処理できる導入処理画面をインターネット回線５０を介して利用者端末６０へ送信して表示する導入処理画面送信手段１１ｂである。
【００２２】
手段１１ｃは、次に業務ソフトが仕入・給与計算・税務などの業務であったときは、その振込・引落・納付データなどを業務処理経過データベース１４ｃから連動してＥＢ用データベース１４ｂへ保存した振込・引落・納付データなどを、ＥＢ用データベース１４ｂからそれぞれ呼出してホストコンピュータ３０へ送信する手段であり、また業務ソフトが販売・財務会計などの管理業務であったときは、その業務ソフト処理に予め必要な預金入出金データをＥＢ用データベース１４ｂに記録するためホストコンピュータ３０より受信する手段である通信指令手段１１ｃである。
【００２３】
また、データセンタ１０の導入ウィザード付ＥＢソフト１１ａは、利用者端末６０のＥＢソフト導入処理画面での終了信号を受信した際、前記銀行利用サービス設定の１以上の項目が振込・引落・納付データである場合には、それぞれテスト用の振込・引落・納付データを自動生成し、金融機関毎のホストコンピュータ３０と利用サービス項目毎に連続して通信テストを行う通信テスト手段１１ｄを備える。
【００２４】
次に、本発明のインターネットを介する導入ウィザード付ＥＢシステム１の動作の流れを図２、図３に示す。
【００２５】
業務ソフトサービス運用事業者のデータセンタ１０は、予め業務ソフトのサービスを受けたい利用者と契約して、利用会員データベース１４ａに登録する（Ｓ２１）。
【００２６】
利用者は、端末６０よりインターネット回線５０を介してデータセンタ１０へ業務ソフト利用依頼を送信し、データセンタ１０は応答して利用申込画面を送信する（Ｓ２２）（利用申込画面送信手段）。
【００２７】
データセンタ１０は、利用者が入力した利用申込画面を受信し、そのＩＤコード・パスワードを利用会員データベース１４ａと比較して利用者を認証する（Ｓ２３）（認証手段）。
【００２８】
利用者を認証すれば、利用者の指定した業務ソフトをデータセンタ１０上で起動し、そのメニュー画面をインターネット回線５０を介して端末６０に表示する（Ｓ２４）（業務メニュー画面送信手段）。
【００２９】
利用者端末６０の業務ソフトメイン画面上において、ＥＢソフトの導入ウィザードを選択すれば、データセンター１０はその信号を受信し、導入ウィザード付ＥＢソフト１１ａを起動する（Ｓ２５）。
【００３０】
データセンタ１０は、導入ウィザード付ＥＢソフト１１ａの導入処理画面を端末６０へ送信する。ここで利用者は端末６０で、順次ホストコンピュータ３０と通信回線２０間の通信環境設定・接続先情報設定・銀行利用サービス設定・口座情報設定を行い接続可能状態となる（Ｓ３１）（導入処理画面送信手段）。
【００３１】
ここで、導入処理画面における４設定の終了信号をデータセンタ１０は受信して、次にテスト用の振込・引落・納付データを自動生成し、利用者が口座契約した金融機関のホストコンピュータ３０とデータセンタ１０間の通信テストを銀行利用サービス項目毎に連続して行う（Ｓ３２）（通信テスト手段）。
【００３２】
送信テストがＯＫならば次に通信指令手段１１ｃにより利用者の口座のある金融機関のホストコンピュータ３０より預金入出金データを受信して、ＥＢソフト用データベース１４ｂへ記録する受信テストを行う（Ｓ３３）。
【００３３】
導入ウィザード処理が終了すれば、データセンタ１０は業務ソフトメイン画面を送信し、業務ソフトの選択を可能とする（Ｓ３４）。
【００３４】
次に、前述したステップＳ３１の導入処理画面の４設定入力画面の具体的な実施例をそれぞれ図４，５，６，７に示す。
【００３５】
ここで、図４の１０１は通信環境設定用入力画面である。
【００３６】
「次へ」のボタンにより、図５の１０２の接続先情報設定用入力画面が表示される。この入力画面で利用者の銀行口座の基本契約情報を登録する。銀行が定めた顧客番号、ダイヤルアップパスワードを入力する。
【００３７】
「次へ」のボタンにより、金融機関に対する利用サービスを１つ以上選択できる図６の１０３に示す利用サービス設定用入力画面が表示される。利用サービス項目として振込、納付サービスとして総合振込、給与・賞与振込、特別徴収地方税納付、法人地方税納付、口座振替とその結果照合があり、これらは企業毎のコードとファイルアクセスキーとパスワードを必要とする。一方、金融機関からの各種データ受信サービスとしては処理依頼データ、受付明細データ、振込入金データ、預金入出金データなどがある。いずれもファイルアクセスキーとパスワードが必要となる。
【００３８】
「次へ」のボタンにより、図７の１０４に示す利用者の契約口座情報を登録する口座情報用入力画面が表示される。
【００３９】
この入力画面で利用者が登録した口座情報は前記利用サービス設定で複数サービスであれば共通に使用できる。預金種目、口座番号、会社名、住所を入力し「次へ」のボタンにより導入処理の終了信号を送信するが、「戻る」のボタンにより戻って修正もできる。
【００４０】
【発明の効果】
本発明のインターネットを介する導入ウィザード機能付ＥＢシステムは以下の効果を奏する。
【００４１】
すなわち、ＥＢソフトの初心者に難しく誤りやすい通信環境設定、接続先情報設定、利用サービス設定、口座情報設定を導入処理画面を用いて、利用者端末で行えるようにし、しかも通信テストも行えるので、ＥＢシステムの利用開始が容易に誤りなく行うことができる。
【００４２】
また、ＥＢソフトをインターネット上の業務ソフトサービス運用事業者のデータセンタを利用して運用することができるため、利用者はその業務ソフトの運用・管理・保守・設備に経費・人件費を低くおさえることができる。
【図面の簡単な説明】
【図１】本発明のインターネットを介する導入ウィザード機能付ＥＢシステムの構成図である。
【図２】本発明のインターネットを介する導入ウィザード機能付ＥＢシステムの動作の流れ図である。
【図３】図２に続く本発明のインターネットを介する導入ウィザード機能付ＥＢシステムの動作の流れ図である。
【図４】本発明の導入処理画面の通信環境設定用入力画面である。
【図５】本発明の導入処理画面の接続先情報設定用入力画面である。
【図６】本発明の導入処理画面の利用サービス設定用入力画面である。
【図７】本発明の導入処理画面の口座情報用入力画面である。
【符号の説明】
１    インターネットを介する導入ウィザード機能付ＥＢシステム
１０    業務ソフトサービス運用事業者のデータセンタ
１１    サービス運用業務のアプリケーションサーバ
１１ａ  導入ウィザード機能付ＥＢソフト
１１ｂ  導入処理画面送信手段
１１ｃ  通信指令手段
１１ｄ  通信テスト手段
１１ｅ  利用申込画面送信／認証手段
１１ｆ  業務ソフトメニュー画面送信手段
１１ｘ  販売・仕入管理業務ソフト
１１ｙ  給与計算管理業務ソフト
１１ｚ  財務会計・税務管理ソフト
１２    Ｗｅｂサーバ（ファイアウォールを含む）
１３    データベースサーバ
１４    データベース
１４ａ  利用会員データベース
１４ｂ  ＥＢ用データベース
１４ｃ  各種業務ソフト処理経過／利用履歴データベース
１５    通信回線接続回路部（モデムを含む）
１６    業務処理端末
２０    通信回線、ＩＳＤＮ回線、専用回線
３０    金融機関のホストコンピュータ
５０    インターネット回線
６０    企業又は個人の利用者のクライアント端末
１０１  通信環境設定用入力画面
１０２  接続先情報設定用入力画面
１０３  利用サービス設定用入力画面
１０４  口座情報用入力画面
【図１】
0003641679.tif 000002
【図２】
0003641679.tif 000003
【図３】
0003641679.tif 000004
【図４】
0003641679.tif 000005
【図５】
0003641679.tif 000006
【図６】
0003641679.tif 000007
【図７】
0003641679.tif 000008